(57)【要約】【課題】  撮影後、撮影画像の拡大画像を視認して振れの有無を確認する際の使い勝手を向上させるようにする。【解決手段】  シャッターキー入力があると、ＣＣＤをシャッタースピードに応じた露光時間で制御し、画像データを取り込む（Ｓ１０２）。また、この取り込んだ画像データを一時保存し（Ｓ１０３）、不揮発性メモリに保存する（Ｓ１０４）。一時保存した画像データに基づく画像の輪郭を検出し（Ｓ１０５）、この検出した輪郭にずれがあるか否かを判断する（Ｓ１０６）。輪郭にずれがない場合には、Ｓ１０１に戻って、次の画像を撮影するためのシャッターキー入力待ちの状態に移行する。輪郭にずれがある場合には、手振れしたことを表示装置６に表示する（Ｓ１０７）。さらに、一時保存した画像データに基づく画像の輪郭部分を表示装置に拡大表示する（Ｓ１０８）。【選択図】    図２
2006020101.tif 000002
【特許請求の範囲】
【請求項１】
表示手段と、
操作に応答して静止画を撮像する撮像手段と、
この撮像手段により撮像された前記静止画が振れ画像であるか否かを判断する判断手段と、
この判断手段により前記静止画が振れ画像であると判断された場合、前記表示手段に前記静止画を拡大表示する表示制御手段と
を備えることを特徴とする撮像装置。
【請求項２】
前記撮像手段により撮像された前記静止画の輪郭部分を検出する検出手段を含み、
前記表示制御手段は、前記検出手段により検出された前記静止画の輪郭部分を拡大表示することを特徴とする請求項１記載の撮像装置。
【請求項３】
前記判断手段は、前記撮像手段により撮像された前記静止画の輪郭にずれがあるか否かを検出する手段を含み、輪郭ずれが検出された静止画を振れ画像と判断し、
前記表示制御手段は、前記静止画の輪郭ずれが検出された輪郭部分を拡大表示することを特徴とする請求項１又は２記載の撮像装置。
【請求項４】
前記判断手段により前記静止画が振れ画像であると判断された場合、これを報知する報知手段を有することを特徴とする請求項１、２又は３記載の撮像装置。
【請求項５】
操作に応じて、前記判断手段により前記振れ画像であると判断された静止画を残存させるか否かを指示する指示手段と、
この指示手段により残存が指示された場合、前記静止画を記録媒体に記録させる記録制御手段と
を更に備えることを特徴とする請求項１から４にいずれか記載の撮像装置。
【請求項６】
撮像装置本体の振動に基づき振れを検出する第１の検出手段と、
前記撮像手段により撮像された静止画に基づき振れを検出する第２の検出手段とを備え、
前記判断手段は、前記第１及び第２の検出手段が共に振れを検出した場合に、前記静止画を振れ画像であると判断することを特徴とする請求項１から５にいずれか記載の撮像装置。
【請求項７】
表示手段と、
操作に応答して静止画を撮像する撮像手段と、
この撮像手段により撮像された前記静止画の輪郭部分を検出する検出手段と、
この検出手段により検出された前記静止画の輪郭部分を拡大して、前記表示手段に表示する表示制御手段と
を備えることを特徴とする撮像装置。
【請求項８】
表示手段と、操作に応答して静止画を撮像する撮像手段とを備える撮像装置における撮像方法であって、
前記撮像手段により撮像された前記静止画が振れ画像であるか否かを判断する判断工程と、
この判断工程で前記静止画が振れ画像であると判断された場合、前記表示手段に前記静止画を拡大表示する表示制御工程と
を含むことを特徴とする撮像方法。
【請求項９】
表示手段と、操作に応答して静止画を撮像する撮像手段とを備える撮像装置が有するコンピュータを、
前記撮像手段により撮像された前記静止画が振れ画像であるか否かを判断する判断手段と、
この判断手段により前記静止画が振れ画像であると判断された場合、前記表示手段に前記静止画を拡大表示する表示制御手段と
して機能させることを特徴とする撮像制御プログラム。
【発明の詳細な説明】
【技術分野】
【０００１】
本発明は、被写体を撮像して静止画で記録する撮像装置、撮像方法及び撮像制御プログラムに関する。
【背景技術】
【０００２】
従来、静止画を撮像した際の手振れの有無を確認しつつ撮像を行うことのできる撮像装置が知られている。この撮像装置は、シャッター操作を行って静止画を撮像した後、確認ボタンを操作すると撮像された画像が拡大処理されてＬＣＤに表示される。したがって、ユーザはＬＣＤに拡大表示された記録画像を視認することにより、手振れの有無を確認しつつ撮像を進行することができるとするものである（特許文献１参照）。
【特許文献１】特開２００１−１７７７５３号公報
【発明の開示】
【発明が解決しようとする課題】
【０００３】
しかしながら、前述した従来の撮像装置にあっては、撮像した静止画に手振れが生じているか否かを確認する都度、ボタン操作を行わなければならず、操作が煩雑となる。しかも、ボタン操作を行って拡大画像を表示させても、それが手振れのない画像である場合には無駄な操作となり、逆にボタン操作を怠ると拡大画像により手振れの有無を確認することができず、確実に手振れのない画像を撮像することもできない。
【０００４】
本発明は、かかる従来の課題に鑑みてなされたものであり、撮影後、撮影画像の拡大画像を視認して振れの有無を確認する際の使い勝手を向上させることができる、すなわち第１に煩雑な操作を要することなく、確実に手振れの有無を確認しつつ撮像を進行することができ、第２に確実に手振れの有無を確認しつつ撮像を進行することができる撮像装置、撮像方法及び撮像制御プログラムを提供することを目的とする。
【課題を解決するための手段】
【０００５】
前記課題を解決するために請求項１記載の発明に係る撮像装置は、表示手段と、操作に応答して静止画を撮像する撮像手段と、この撮像手段により撮像された前記静止画が振れ画像であるか否かを判断する判断手段と、この判断手段により前記静止画が振れ画像であると判断された場合、前記表示手段に前記静止画を拡大表示する表示制御手段とを備える。ここで、振れ画像とはユーザの手振れにより画像に振れが生じた場合と、手振れはないが被写体が動いたために画像に振れが生じた場合とを含む。そして、操作に応答して撮像手段が撮像した静止画が振れ画像である場合には、表示手段には撮像された静止画がボタン操作を伴うことなく自動的に拡大表示される。また、撮像された静止画が拡大表示されるのは、当該静止画が振れ画像であった場合のみであることから、撮像された静止画が無用に拡大表示されることはない。よって、煩雑な操作を要することなく、必要なときにのみ拡大画像を表示することにより、確実に振れの有無を確認しつつ撮像を進行することができる。
【０００６】
また、請求項２記載の発明に係る撮像装置は、前記撮像手段により撮像された前記静止画の輪郭部分を検出する検出手段を含み、前記表示制御手段は、前記検出手段により検出された前記静止画の輪郭部分を拡大表示する。したがって、ユーザは表示手段に拡大表示された画像の輪郭部分を視認することにより、振れを明瞭に確認することができるのみならず、振れ量や振れの方向を認識することもできる。よって、次の撮像時に認識した方向への振れに注意しながら操作を行うことにより、迅速に振れのない画像を撮像することが可能となる。
【０００７】
また、請求項３記載の発明に係る撮像装置は、前記判断手段は、前記撮像手段により撮像された前記静止画の輪郭にずれがあるか否かを検出する手段を含み、輪郭ずれが検出された静止画を振れ画像と判断し、前記表示制御手段は、前記静止画の輪郭ずれが検出された輪郭部分を拡大表示する。したがって、ユーザは表示手段に拡大表示された画像の輪郭部分を視認することにより、振れを一層明瞭に確認することができるのみならず、振れ量や振れの方向を明瞭に認識することもできる。よって、次の撮像時に認識した方向への振れに注意しながら確実に操作を行うことにより、迅速に振れのない画像をより確実に撮像することが可能となる。
【０００８】
また、請求項４記載の発明に係る撮像装置は、前記判断手段により前記静止画が振れ画像であると判断された場合、これを報知する報知手段を有する。したがって、ユーザは撮像した静止画が振れ画像であることを確実に知って、再度同一の被写体を撮像することが可能となり、所望の被写体の画像であって振れのない静止画を確実に撮像することができる。
【０００９】
また、請求項５記載の発明に係る撮像装置は、操作に応じて、前記判断手段により前記振れ画像であると判断された静止画を残存させるか否かを指示する指示手段と、この指示手段により残存が指示された場合、前記静止画を記録媒体に記録させる記録制御手段とを更に備える。したがって、拡大表示された振れ画像や輪郭が拡大表示された振れ画像を視認したユーザは、自己の判断で振れ画像を記録媒体に記録して保存することができ、これにより、振れのある画像であってもシャッターチャンスに撮影した画像を保存することもできる。
【００１０】
また、請求項６記載の発明に係る撮像装置は、撮像装置本体の振動に基づき振れを検出する第１の検出手段と、前記撮像手段により撮像された静止画に基づき振れを検出する第２の検出手段とを備え、前記判断手段は、前記第１及び第２の検出手段が共に振れを検出した場合に、前記静止画を振れ画像であると判断する。したがって、第１及び第２の検出手段の検出結果に基づく判断により、高度の確実性をもって振れ画像であるか否かの判断を行うことができる。
【００１１】
また、請求項７記載の発明に係る撮像装置は、表示手段と、操作に応答して静止画を撮像する撮像手段と、この撮像手段により撮像された前記静止画の輪郭部分を検出する検出手段と、この検出手段により検出された前記静止画の輪郭部分を拡大して、前記表示手段に表示する表示制御手段とを備える。したがって、表示手段には、操作に応答して撮像された静止画像の輪郭が、拡大表示される。したがって、ユーザは表示手段に拡大表示された画像の輪郭部分を視認することにより、振れを明瞭に確認することができるのみならず、振れ量や振れの方向を認識することもできる。よって、次の撮像時に認識した方向への振れに注意しながら操作を行うことにより、迅速に振れのない画像を撮像することが可能となる。その結果、確実に振れの有無を確認しつつ撮像を進行することができる。
【００１２】
また、請求項８記載の発明は、表示手段と、操作に応答して静止画を撮像する撮像手段とを備える撮像装置における撮像方法であって、前記撮像手段により撮像された前記静止画が振れ画像であるか否かを判断する判断工程と、この判断工程で前記静止画が振れ画像であると判断された場合、前記表示手段に前記静止画を拡大表示する表示制御工程とを含む。したがって、記載した工程に従って処理を実行することにより、請求項１記載の発明と同様の作用効果を奏する。
【００１３】
また、請求項９記載の発明に係る撮像制御プログラムは、表示手段と、操作に応答して静止画を撮像する撮像手段とを備える撮像装置が有するコンピュータを、前記撮像手段により撮像された前記静止画が振れ画像であるか否かを判断する判断手段と、この判断手段により前記静止画が振れ画像であると判断された場合、前記表示手段に前記静止画を拡大表示する表示制御手段として機能させる。したがって、前記コンピュータがこのプログラムに従って処理を実行することにより、請求項１記載の発明と同様の作用効果を奏する。
【発明の効果】
【００１４】
以上説明したように請求項１、８、９に係る発明によれば、操作に応答して撮像手段が撮像した静止画が振れ画像である場合には、撮像された静止画を、ボタン操作を伴うことなく自動的に拡大表示することができる。また、撮像された静止画が拡大表示されるのは、当該静止画が振れ画像であった場合のみであることから、撮像された静止画が無用に拡大表示されることはない。よって、煩雑な操作を要することなく、必要なときにのみ拡大画像を表示することにより、確実に振れの有無を確認しつつ撮像を進行することができる。
【００１５】
また、請求項７に係る発明によれば、操作に応答して撮像された静止画像の輪郭を、拡大表示することができる。したがって、ユーザは拡大表示された画像の輪郭部分を視認することにより、振れを明瞭に確認することができるのみならず、振れ量や振れの方向を認識することもできる。よって、次の撮像時に認識した方向への振れに注意しながら操作を行うことにより、迅速に振れのない画像を撮像することが可能となる。
【発明を実施するための最良の形態】
【００１６】
以下、本発明の一実施の形態を図にしたがって説明する。
（第１の実施の形態）
図１は、本発明の各実施の形態に共通する電子スチルカメラ１の概略構成を示すブロック図である。この電子スチルカメラ１は、撮像手段であるＣＣＤ２とＤＳＰ／ＣＰＵ３とを有している。ＤＳＰ／ＣＰＵ３は、画像データの圧縮・伸張、音声データの処理を含む各種のデジタル信号処理機能を有するとともに電子スチルカメラ１の各部を制御するワンチップマイコンである。
【００１７】
ＤＳＰ／ＣＰＵ３には、ＣＣＤ２を駆動するＴＧ（Timing Generator）４が接続されており、ＴＧ４には、ＣＣＤ２から出力される被写体の光学像に応じたアナログの撮像信号が入力するユニット回路５が接続されている。ユニット回路５は、入力した撮像信号を保持するＣＤＳと、その撮像信号を増幅するゲイン調整アンプ（ＡＧＣ）、増幅された撮像信号をデジタルの撮像信号に変換するＡ／Ｄ変換器（ＡＤ）から構成されており、ＣＣＤ２の出力信号はユニット回路５を経てデジタル信号としてＤＳＰ／ＣＰＵ３に送られる。  ＤＳＰ／ＣＰＵ３には、表示装置６、キー入力部７、振動サンサー８が接続されるとともに、アドレス・データバス１０を介してバッファメモリ（ＤＲＡＭ）１１、ＲＯＭ１２、不揮発性メモリ１３が接続されている。バッファメモリ１１は、ＣＣＤ２により撮像された後デジタル化された被写体の画像データ等を一時保存するメモリであるとともに、ＤＳＰ／ＣＰＵ３のワーキングメモリとしても使用される。バッファメモリ１１に一時保存された画像データは、ＤＳＰ／ＣＰＵ３により圧縮（符号化）が行われ、最終的には所定のフォーマット（ＪＰＥＧ方式等）を備えた静止画ファイルとして不揮発性メモリ１３に記録される。ＲＯＭ１２には、ＤＳＰ／ＣＰＵ３の動作プログラムや各部の制御に使用する各種データが記憶されており、ＤＳＰ／ＣＰＵ３は、前記動作プログラムに従い動作することにより、手振れ画像であるか否かを判断する判断手段、静止画を拡大表示する表示制御手段等として機能する。
【００１８】
また、ＲＯＭ１２には、撮影時の露出値（ＥＶ）に対応する絞り値（Ｆ）とシャッタースピードとゲイン値との組み合わせを示すスループログラム線図を構成するプログラムＡＥデータも格納されている。そして、ＤＳＰ／ＣＰＵ３がプログラム線図により設定されるシャッタースピードに基づき設定した電荷蓄積時間はシャッターパルスとして、ＴＧ４を介してＣＣＤ２に供給され、これに従いＣＣＤ２が動作することにより電荷蓄積時間すなわち露光時間が制御される。つまりＣＣＤ２は電子シャッターとして機能する。
【００１９】
表示装置６は、カラーＬＣＤとその駆動回路とを含み、撮影待機状態にあるときにはＣＣＤ２によって撮像された被写体画像をスルー画像として表示し、記録画像の再生時には不揮発性メモリ１３から読み出されて伸張された記録画像を表示する。キー入力部７は、シャッターキー、撮影モードと再生モードとを選択的に設定するモード設定キー、電源キー等の複数の操作キーを含み、ユーザによるキー操作に応じたキー入力信号をＤＳＰ／ＣＰＵ３に出力する。振動サンサー８は、この電子スチルカメラ１本体の振動を検出してＤＳＰ／ＣＰＵ３に出力する。
【００２０】
次に、以上の構成からなる電子スチルカメラ１における本発明の動作を説明する。ユーザによるキー入力部７での操作により、撮影モードが設定されると、ＤＳＰ／ＣＰＵ３は前記プログラムに基づき図２に示すフローチャートに従って処理を実行する。すなわち、キー入力部７でのシャッターキー入力の有無を監視する（ステップＳ１０１）。そして、シャッターキー入力があると、ＣＣＤ２をシャッタースピードに応じた露光時間で制御し、ユニット回路５を介して画像データを取り込む（ステップＳ１０２）。また、この取り込んだ画像データをバッファメモリ１１に一時保存し（ステップＳ１０３）、バッファメモリ１１に一時保存した画像データを圧縮（符号化）し、所定のフォーマット（ＪＰＥＧ方式等）を備えた静止画ファイルとして不揮発性メモリ１３に保存する（ステップＳ１０４）。
【００２１】
次に、ステップＳ１０３でバッファメモリ１１に一時保存した画像データに基づく画像の輪郭を検出し（ステップＳ１０５）、この検出した輪郭にずれがあるか否かを判断する（ステップＳ１０６）。輪郭にずれがなく、前記ステップＳ１０４で不揮発性メモリ１３に保存した画像が手振れ画像でない場合には、ステップＳ１０１に戻って、次の画像を撮影するためのシャッターキー入力待ちの状態に移行する。
【００２２】
しかし、輪郭にずれがあり、前記ステップＳ１０４で不揮発性メモリ１３に保存した画像が手振れ画像である場合には、手振れしたことを表示装置６に表示する（ステップＳ１０７）。このとき、例えば図３（ａ）に示すように、不揮発性メモリ１３に保存した静止画ファイルの画像データ（バッファメモリ１１に一時保存した画像データ）に基づく画像６１を表示装置６に表示して、「手振れあり」等の手振れ報知表示６２を表示する。
【００２３】
さらに、不揮発性メモリ１３に保存した画像データ（バッファメモリ１１に一時保存した画像データ）に基づく画像の輪郭ずれが検出された輪郭部分を表示装置６に拡大表示する（ステップＳ１０８）。すなわち、図３（ａ）に例示した画像６１において輪郭ずれが検出された輪郭部分６３を、同図（ｂ）に示すように拡大して表示し、しかる後にステップＳ１０１に戻ってシャッターキー入力待ちの状態に移行する。
【００２４】
したがって、ボタン操作等の煩雑な操作を行うことなく、撮像した画像が拡大表示されるのみならず、手振れのある画像が撮影された場合にのみ画像が拡大表示される。したがって、ユーザは容易かつ確実に手振れの有無を確認しつつ撮像を進行することができ、手振れのある画像が撮像されて当該画像が拡大表示された場合には、ユーザが拡大表示を視認した結果として撮り直しが必要なほどの手振れであると判断した場合に再度同一被写体を撮像することにより、確実に手振れのない画像を撮像することが可能となる。
【００２５】
しかも、本実施の形態においては、画像の輪郭部分を拡大表示することから、拡大された輪郭部分６３の画像により、手振れの状態を明瞭に表示することができ、ユーザは何れの方向に手振れが生じているかを視覚的に確認することもできる。したがって、再度同一被写体を撮像する際にユーザは、前回の方向に手振れが生じないように注意することができ、これにより再度の手振れ発生を抑制することができる。
【００２６】
（第２の実施の形態）
図４は、本発明の第２の実施の形態における処理手順を示すフローチャートである。ユーザによるキー入力部７での操作により、撮影モードが設定されると、ＤＳＰ／ＣＰＵ３は前記プログラムに基づき図４に示すフローチャートに従って処理を実行する。すなわち、キー入力部７でのシャッターキー入力の有無を監視する（ステップＳ２０１）。そして、シャッターキー入力があると、ＣＣＤ２をシャッタースピードに応じた露光時間で制御し、ユニット回路５を介して画像データを取り込む（ステップＳ２０２）。また、この取り込んだ画像データをバッファメモリ１１に一時保存する（ステップＳ２０３）。
【００２７】
次に、このバッファメモリ１１に一時保存した画像データに基づく画像の輪郭を検出し（ステップＳ２０４）、この検出した輪郭にずれがあるか否かを判断する（ステップＳ２０５）。輪郭にずれがなく、手振れ画像でない場合には、前記ステップＳ２０３の処理によりバッファメモリ１１に一時保存されている画像データを、圧縮（符号化）し、所定のフォーマット（ＪＰＥＧ方式等）を備えた静止画ファイルとして不揮発性メモリ１３に転送して保存する（ステップＳ２０９）。しかる後に、ステップＳ２０１に戻って、次の画像を撮影するためのシャッターキー入力待ちの状態に移行する。
【００２８】
また、ステップＳ２０５での判断の結果、輪郭にずれがあり、前記ステップＳ２０３で一時保存した画像が手振れ画像である場合には、手振れしたことを表示装置６に表示する（ステップＳ２０６）。このとき、例えば図３（ａ）に示すように、バッファメモリ１１に一時保存している画像データに基づく画像６１を表示装置６に表示して、「手振れあり」等の手振れ報知表示６２を表示する。さらに、バッファメモリ１１に一時保存した画像データに基づく画像の輪郭ずれが検出された輪郭部分を表示装置６に拡大表示する（ステップＳ２０７）。すなわち、図３（ａ）に示した画像６１の輪郭部分６３を、同図（ｂ）に示すように拡大して表示する。
【００２９】
次に、ユーザからの削除指示があったか否かを判断する（ステップＳ２０８）。この判断に際しては、図３（ｃ）に示すように、表示装置６に「削除しますか？」の文字とともに「ＹＥＳ」「ＮＯ」のボタンを表示し、キー入力部７での操作により、「ＹＥＳ」ボタンが選択された場合には削除指示があった（記録指示がなかった）と判断し、「ＮＯ」ボタンが選択された場合には削除指示がなかった（記録指示があった）と判断する。
【００３０】
そして、このステップＳ２０８での判断の結果、「ＮＯ」ボタンが選択されて削除指示がなかった（記録指示があった）場合には、前記ステップＳ２０３の処理により当該バッファメモリ１１に一時保存されている画像データを、圧縮（符号化）し、所定のフォーマット（ＪＰＥＧ方式等）を備えた静止画ファイルとして不揮発性メモリ１３に転送して保存する（ステップＳ２０９）。しかる後に、ステップＳ２０１に戻って、次の画像を撮影するためのシャッターキー入力待ちの状態に移行する。
【００３１】
また、前記ステップＳ２０８での判断の結果、「ＹＥＳ」ボタンが選択されて削除指示があった（記録指示がなかった）場合には、前記ステップＳ２０３の処理によりＤＲＡＭ（バッファメモリ１１）に一時保存されている画像データを消去する（ステップＳ２１０）。しかる後に、ステップＳ２０１に戻って、次の画像を撮影するためのシャッターキー入力待ちの状態に移行する。
【００３２】
したがって、本実施の形態によれば、ユーザはステップＳ２０７で表示装置６に拡大表示された画像の輪郭部分を見て手振れの状態を確認した後、今回撮影した手振れのある画像を保存すべきか否かを判断し、その判断結果に応じて当該画像を保存するか消去するかを決定することができる。これにより、多少手振れのある画像であってもシャッターチャンスに撮影した画像を保存することもできる。
【００３３】
（第３の実施の形態）
図５は、本発明の第３の実施の形態における処理手順を示すフローチャートである。ユーザによるキー入力部７での操作により、撮影モードが設定されると、ＤＳＰ／ＣＰＵ３は前記プログラムに基づき図５に示すフローチャートに従って処理を実行する。すなわち、キー入力部７でのシャッターキー入力の有無を監視する（ステップＳ３０１）。シャッターキー入力があると、ＣＣＤ２の露光を開始するとともに、振動センサー８の監視を開始し該振動センサー８からの出力信号を取り込む（ステップＳ３０２）。そして、前述したシャッタースピードに応じた露光時間の終了に伴って、ＣＣＤ２の露光を終了するとともに、振動センサー８の監視を終了し該振動センサー８からの出力信号の取り込みを停止する（ステップＳ３０３）。また、この露光の終了により撮影した画像の画像データを、ユニット回路５を介して取り込む（ステップＳ３０４）。さらに、この取り込んだ画像データをバッファメモリ１１に一時保存し（ステップＳ３０５）、バッファメモリ１１に一時保存した画像データを圧縮（符号化）し、所定のフォーマット（ＪＰＥＧ方式等）を備えた静止画ファイルとして不揮発性メモリ１３に保存する（ステップＳ３０６）。
【００３４】
次に、前記ステップＳ３０２で監視を開始してから前記ステップＳ３０３で監視を終了するまでの間、つまり露光時間内に振動センサー８による所定量以上の振動感知があったか否かを判断する（ステップＳ３０７）。振動センサー８による所定量以上の振動感知がなかった場合には、ステップＳ３０１に戻って、次の画像を撮影するためのシャッターキー入力待ちの状態に移行する。振動センサー８による所定量以上の振動感知があった場合には、前記ステップＳ３０５でバッファメモリ１１に一時保存した画像データに基づく画像の輪郭を検出し（ステップＳ３０８）、この検出した輪郭にずれがあるか否かを判断する（ステップＳ３０９）。輪郭にずれがなく、前記ステップＳ３０６で不揮発性メモリ１３に保存した画像が手振れ画像でない場合には、ステップＳ３０１に戻って、次の画像を撮影するためのシャッターキー入力待ちの状態に移行する。
【００３５】
しかし、輪郭にずれがあり、前記ステップＳ３０６で不揮発性メモリ１３に保存した画像が手振れ画像である場合には、手振れしたことを表示装置６に表示する（ステップＳ３１０）。このとき、前記図３（ａ）に示したように、バッファメモリ１１に一時保存した画像データに基づく画像６１を表示装置６に表示して、「手振れあり」等の手振れ報知表示６２を表示する。さらに、バッファメモリ１１に一時保存した画像データに基づく画像の輪郭ずれが検出された輪郭部分を表示装置６に拡大表示する（ステップＳ３１１）。すなわち、図３（ａ）に示した画像６１の輪郭部分６３を、同図（ｂ）に示すように拡大して表示し、しかる後にステップＳ３０１に戻ってシャッターキー入力待ちの状態に移行する。
【００３６】
なお、本発明の各実施の形態においては、撮像した画像の輪郭ずれが検出された輪郭部分を拡大表示するようにしたが、輪郭ずれが検出されていない輪郭部分、輪郭以外の部分（例えば画像の中央部分）を拡大表示するようにしてもよく、また、輪郭にずれがあった場合（振れがあった場合）にのみ輪郭部分を拡大表示するようにしたが、無条件に撮影後自動表示させたり、手動操作により表示させるようにしてもよい。さらに、表示装置６での表示により手振れ画像であることを報知するようにしたが、報知手段はこれに限らず音声や警報音等を発生させるものであってもよい。
【図面の簡単な説明】
【００３７】
【図１】本発明の各実施の形態に共通する電子スチルカメラのブロック図である。
【図２】第１の実施の形態における処理手順を示すフローチャートである。
【図３】各実施の形態の表示遷移図である。
【図４】第２の実施の形態における処理手順を示すフローチャートである。
【図５】第３の実施の形態における処理手順を示すフローチャートである。
【符号の説明】
【００３８】
１    電子スチルカメラ
２    ＣＣＤ
３    ＤＳＰ／ＣＰＵ
４    ＴＧ
５    ユニット回路
６    表示装置
７    キー入力部
８    振動センサー
１０    データバス
１１    バッファメモリ
１２    ＲＯＭ
１３    不揮発性メモリ
【図１】
2006020101.tif 000003
【図２】
2006020101.tif 000004
【図３】
2006020101.tif 000005
【図４】
2006020101.tif 000006
【図５】
2006020101.tif 000007